(57)【要約】【課題】汎用品の棚に対応することができ、良好に読み取り可能な文書管理システムを提供すること。【解決手段】文書にＲＦＩＤタグを取着し、文書棚に収容される前記文書を管理するシステムにおいて、前記文書棚の棚板上に移動可能に配置され、前記ＲＦＩＤタグの識別子を読み取り可能な複数のブックエンド型のアンテナ３と、稼働するアンテナに隣接するアンテナの端をオープン状態で切り替えるアンテナ切替器２と、前記文書棚の両端から棚端側に離間させて配置された誘電体とを具備する。【選択図】図１
2012083911.tif 000002
【特許請求の範囲】
【請求項１】
文書にＲＦＩＤタグを取着し、文書棚に収容される前記文書を管理するシステムであって、
前記文書棚の棚板上に移動可能に配置され、前記ＲＦＩＤタグの識別子を読み取り可能な複数のブックエンド型のアンテナと、
稼働するアンテナに隣接するアンテナの端をオープン状態で切り替えるアンテナ切替器と、
前記文書棚の両端から棚端側に離間させて配置された誘電体と
を具備することを特徴とする文書管理システム。
【発明の詳細な説明】
【技術分野】
【０００１】
この発明は、文書を文書棚に収容して管理する文書管理システムに関する。
【背景技術】
【０００２】
従来の物品管理システムにおいては、背板アンテナでの検知が主流で行なわれている。また使用されているタグも積層タグが一般的となっている。背板方式の場合、背板の大きさを変更することが難しく様々な棚幅への対応が難しかった。また積層タグ自体も高価でコスト面にも問題があった。
【０００３】
そこで、物品管理棚の棚板表面にループアンテナを配置し、ＲＦＩＤ（Radio Frequency IDentification）タグを添付した物品を載置するようにした物品管理システムが提案されている（例えば、特許文献１を参照。）。
【先行技術文献】
【特許文献】
【０００４】
【特許文献１】特開２００６−２５２３６７号公報
【発明の概要】
【発明が解決しようとする課題】
【０００５】
ところが、棚サイズが固定であると、汎用的に販売されている数種の棚へ対応することが出来ないという問題がある。
この発明は上記事情に着目してなされたもので、その目的とするところは、汎用品の棚に対応することができ、良好に読み取り可能な文書管理システムを提供することにある。
【課題を解決するための手段】
【０００６】
上記目的を達成するためにこの発明の一態様は、文書にＲＦＩＤタグを取着し、文書棚に収容される前記文書を管理するシステムであって、前記文書棚の棚板上に移動可能に配置され、前記ＲＦＩＤタグの識別子を読み取り可能な複数のブックエンド型のアンテナと、稼働するアンテナに隣接するアンテナの端をオープン状態で切り替えるアンテナ切替器と、前記文書棚の両端から棚端側に離間させて配置された誘電体とを具備する。
【発明の効果】
【０００７】
すなわちこの発明によれば、汎用品の棚に対応することができ、良好に読み取り可能な文書管理システムを提供することができる。
【図面の簡単な説明】
【０００８】
【図１】本実施形態に係る文書管理システムを示す構成図。
【図２】アンテナ配置を示す図。可変ブックエンドユニットの構造図。
【図３】電波干渉による影響を示す図。
【図４】アンテナ間の干渉の要因を説明するための図。
【図５】アンテナ切替器の回路構成を示す図。
【図６】両端の金属板による反射波の干渉を低減させるための手法を示す図。
【図７】本実施形態による作用を示す図。
【発明を実施するための形態】
【０００９】
以下、図面を参照してこの発明に係る実施形態に係る文書管理システムを説明する。  
図１は、本実施形態に係る文書管理システムを示す構成図である。図１において、このシステムは、ＲＦＩＤ（Radio Frequency IDentification）リーダ１と、アンテナ切替器２と、複数のアンテナ３と、文書管理／制御用パーソナルコンピュータ（文書管理／制御用ＰＣ）４とを備える。アンテナ３は、アンテナ切替器２を介して、ＲＦＩＤリーダ１に接続される。文書管理／制御用パーソナルコンピュータ４には、ＲＦＩＤリーダ１が接続される。
【００１０】
図２は、アンテナ３の配置を示す図である。文書棚は、少なくとも１つの棚段（棚板）を有し、各棚板上の両端に既設されたブックエンドの間に、ブックエンド型に形成された、例えば４台のアンテナ３−１〜３−４が配置される。このブックエンド型のアンテナ３−１〜３−４は、棚板の左右に自在に移動させることができ、ブックエンド間の背板の幅を調節可能である。また、このシステムで管理される文書（例えば、ファイルまたは書籍等）には、それぞれＲＦＩＤタグ（図示せず）が取着され、各文書の識別に用いられる。ＲＦＩＤリーダ１は、アンテナ切替器２によりアンテナ３−１〜３−４を順次切り替えながら読み取り電波を放射し、通信範囲内に存在するＲＦＩＤタグの識別子を検出する。ＲＦＩＤリーダ１で検出した識別子は、文書管理／制御用パーソナルコンピュータ４に送信される。
【００１１】
ここで、図３を用いて、電波干渉による影響について説明する。図３に示すように、アンテナ３−１から放射される読み取り電波は、隣接するアンテナ３−２からの電波による干渉の影響により、領域ａは受信感度が低下する。また、例えば、両端の既設のブックエンドが金属板で形成される場合、金属板による反射波の影響を受けて、領域ｂで干渉が発生し受信感度が低下する。このように、電波が弱い領域ａ、ｂの存在により、アンテナ３−１の読み取り可能な領域は、領域ｃのように狭くなってしまう。
【００１２】
本実施形態では、これらの干渉を低減させ、読み取り精度を向上させるための手法を以下に提案する。
（Ａ）アンテナ間の干渉の低減  
図４は、アンテナ間の干渉の要因を説明するための図である。アンテナ切替器２のスイッチ回路５において稼働するアンテナ３−１に隣接するアンテナ３−２の端がＧＮＤへ接続されていたため、隣接するアンテナ３−２の干渉を本来稼働するアンテナ３−１に影響を与えていた。この干渉を低減するために、図５に示すように、本実施形態のアンテナ切替器２は、スイッチ回路５−１、５−２を備える構成とする。アンテナ切替に使用しているアナログスイッチを２段で使用することで、未選択アンテナが短絡しないように構成する。これにより、稼働するアンテナ３−１に隣接したアンテナ３−２の端をＧＮＤ接続で無くオープン状態で切替可能となる。
【００１３】
（Ｂ）両端の金属板による反射波の低減  
図６は、両端の金属板による反射波の干渉を低減させるための手法を示す図である。図６に示すように、金属板から棚端側に数ｍｍ程度離した位置に誘電体を配置する。誘電体自体を金属板に直接貼り付ける、もしくはＲＦＩＤタグに隣接させた場合は、反射波の低減効果が薄く、具体例として、金属板から棚端側に約８ｍｍ離した位置で、ＲＦＩＤタグからは３０ｍｍ程度離した位置に誘電体を配置した場合に、反射波による影響が低減された。
【００１４】
図７に、本実施形態におけるアンテナ読み取り可能領域を示す。上記（Ａ）のように、アンテナ切替器２のスイッチ構成を変更することにより、アンテナ３−１の読み取り電波と隣接するアンテナ３−２の電波との間の干渉が低減される。さらに、上記（Ｂ）のように、誘電体を配置することで、図７中の領域ｂの受信感度が改善される。すなわち、上記（Ａ）、（Ｂ）の構成により、アンテナ３−１による読み取り可能領域を、領域ｄのように広げることができる。
【００１５】
以上述べたように、上記実施形態によれば、ＲＦＩＤタグを用いた文書管理システムにおいて、棚幅に応じてブックエンド間の背板の幅を可変でき、隣接するアンテナ間の干渉を低減し、両端の反射波による影響を低減することが可能となる。これにより、汎用品の棚に対応することができ、良好に読み取り可能な文書管理システムを提供することができる。
【００１６】
なお、この発明は上記実施形態に限定されるものではなく、この発明の要旨を逸脱しない範囲で種々変形して実施可能である。例えば、上記実施形態では、図２に示したように８２０ｍｍ〜９１０ｍｍまでの棚幅に対応可能なように、１棚に４台のアンテナ３を設けたが、アンテナ３の台数は任意に選択でき、様々な棚幅へ対応することができる。
【００１７】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００１８】
１…ＲＦＩＤリーダ、２…アンテナ切替器、３…アンテナ（−ｘ：アンテナ番号）、４…文書管理／制御用パーソナルコンピュータ、５…スイッチ回路。
【図１】
2012083911.tif 000003
【図２】
2012083911.tif 000004
【図３】
2012083911.tif 000005
【図４】
2012083911.tif 000006
【図５】
2012083911.tif 000007
【図６】
2012083911.tif 000008
【図７】
2012083911.tif 000009